(57)【要約】【課題】壁面の上端部に対して光を照射でき，しかも，壁面にスカラップ等の模様を形成しないウォールウォッシャー型照明器具を提供する。【解決手段】照明器具本体１０に設けるリフレクタ３０の凹面３１を，長軸Ｘの下端を壁面Ｗに向けて傾けた楕円を回転して得られる回転楕円面の一部によって形成された，壁面Ｗ側に向かって開放する形状に形成する。そして，リフレクタ３０の開口３２に，天井板８０の底面８０ａに平行で，且つ，第１焦点Ｆ１部分で長軸Ｘと交わる平面Ｈで切断された下端開口縁３２ａと，２つの焦点Ｆ１，Ｆ２間の点Ｍで長軸Ｘと交わると共に平面Ｈと交叉する斜面Ｓで切断された傾斜開口縁３２ｂを設け，リフレクタ３０を，第１焦点Ｆ１が取付治具７０の下端縁７３と略同一高さとなるよう配置すると共に，第２焦点Ｆ２にランプ１２の前記発光部１２ａを配置する。【選択図】図２
2011040299.tif 000002
【特許請求の範囲】
【請求項１】
カップ状のリフレクタと，前記リフレクタの凹面側に発光部を配置するランプを備えた照明器具本体と，下端縁を天井板の底面と同一高さ又は前記底面より僅かに室内側に突出させた状態で天井板に取り付けられる取付治具を備え，前記取付治具の開口内に前記照明器具本体を取り付けることにより，天井に埋め込み状態で取り付けられる照明器具において，
前記リフレクタの前記凹面が，長軸の下端を壁面側に向けて傾斜させた楕円を前記長軸を中心として回転させて得られる回転楕円面の一部によって形成されていると共に，前記壁面側に向かって開放する開口を有し，
前記開口が，前記天井板の底面に平行な平面であって前記楕円の２つの焦点のうち前記長軸の下端側にある第１焦点部分で前記長軸と交わる平面で切断された下端開口縁と，前記２つの焦点間で前記長軸と交わると共に前記平面と交叉する斜面で切断された傾斜開口縁を有し，
前記リフレクタを，前記下端開口縁が前記取付治具の下端縁と略同一高さとなるよう配置すると共に，
前記楕円の前記長軸の上端側にある第２焦点に前記ランプの前記発光部を配置したことを特徴とするウォールウォッシャー型照明器具。
【請求項２】
前記リフレクタの前記凹面全面に，多数のディンプルを形成したことを特徴とする請求項１記載のウォールウォッシャー型照明器具。
【請求項３】
前記傾斜開口縁の上端部を通ると共に，前記楕円の長軸と直交する基準面を想定し，この基準面に対して上方側に位置する前記凹面に形成するディンプルに対して，下方側に位置する前記凹面に形成するディンプルを小径に形成したことを特徴とする請求項２記載のウォールウォッシャー型照明器具。
【請求項４】
前記ランプの軸芯が前記楕円の長軸と一致するよう前記ランプを傾斜させたことを特徴とする請求項１〜３いずれか１項記載のウォールウォッシャー型照明器具。
【請求項５】
前記リフレクタの前記下端開口縁の底部を覆うと共に，前記下端開口縁側から前記長軸側に向かって突出する，上面が低反射率に形成された遮光壁を設け，
前記長軸Ｘと交叉すると共に，前記傾斜開口縁の上端部と前記遮光壁の突出側端部とを結ぶ線が，天井板の底面に対して所定のカットオフアングルで傾斜するよう，前記遮光壁及び前記傾斜開口縁を形成したことを特徴とする請求項１〜４いずれか１項記載のウォールウォッシャー型照明器具。
【請求項６】
略円筒状に形成された枠体を備えると共に，前記枠体の下端開口に前記リフレクタの前記下端開口縁を載置する前記遮光壁を備え，且つ，前記枠体内に前記リフレクタの前記傾斜開口縁を係止する係止部を備えた保持具を前記照明器具本体に設け，該保持具を前記取付治具内に取り付け可能としたことを特徴とする請求項５記載のウォールウォッシャー型照明器具。
【発明の詳細な説明】
【技術分野】
【０００１】
本発明は照明器具に関し，より詳細には，壁面に光を照射するウォールウォッシャー照明を行うウォールウォッシャー型照明器具に関する。
【背景技術】
【０００２】
ウォールウォッシャー照明は一般に間接照明の手法として行われるもので，あたかも水で洗い流すかのように壁面（垂直壁面）全体に均一に光を照射する照明手法である。
【０００３】
このように，看る者の視界に入り易い壁面を明るく照らし出すことで，例えば空間全体の明るさを低く抑えて落ち着きのある雰囲気を演出した場合であっても，感覚的に得られる空間全体の明るさが高まると共に，空間の広がりが強調され，場の雰囲気の向上や高級感を高めることができることから，ウォールウォッシャー照明は，オフィスビルやホテル等のエントランスロビー，高級レストラン，その他各種店舗や住居等の照明手法として広く用いられている。
【０００４】
このようなウォールウォッシャー照明を行うための照明器具として，壁面方向に対して光を照射可能とした，所謂「ウォールウォッシャー型」と呼ばれる各種のダウンライトが提案されており，一例として図９に示すように光の照射方向を壁面側に傾けた状態で天井に取り付け可能としたダウンライト１００（特許文献１参照），図１０に示すように通常，下方に対して光を反射するダウンライト１００のリフレクタ１３０の一部分の曲面を，他の部分とは異なる形状に形成して壁面方向に対して光を反射できるようにした補助反射面１３１を設けたもの（特許文献２），図１１に示すようにリフレクタ１３０内に，壁面方向への光の照射を可能とする補助反射板１３１’を設けて二重反射鏡としたもの（特許文献３）等が提案されている。
【先行技術文献】
【特許文献】
【０００５】
【特許文献１】特開２０００−９０７０８号公報
【特許文献２】特開２００３−１５７７０８号公報
【特許文献３】特開平８−７６２９号公報
【発明の概要】
【発明が解決しようとする課題】
【０００６】
前述したウォールウォッシャー照明において，感覚的に得られる明るさを高め，空間の広がりを強調して場の雰囲気の向上や場の高級感を高めるためには，高さ方向及び幅方向における壁面全体に対して均一に光が照射されることが必要であり，壁面に対して部分的に光が当たって明るくなっている部分が生じていたとしても，このような照明方法では単に光が当たっているという認識しか得られず，空間全体の明るさ感の向上や，空間の広がり感の強調，場の雰囲気の向上や場の高級感を高めるといった，ウォールウォッシャー照明により得られる効果は期待できない。
【０００７】
このように，ウォールウォッシャー照明を行うに当たり必要となる壁面全体に対する均一な光の照射を阻害する原因の１つに，天井に取り付けられた照明器具によっては，壁面の上端（天井との境界付近）に対する光の照射が難しい点が挙げられる。
【０００８】
すなわち，前述した従来のダウンライトの構造にあっては，天井板に形成された開口内に照明器具を埋め込み状態に設置することから，光源であるランプや，この光源からの光を反射するリフレクタは，天井板の底面（室内側の面）よりも高い位置に配置されることとなる。
【０００９】
その結果，照明器具を傾斜して取り付けたり，又は補助反射面や補助反射鏡を設けたとしても，壁面の上端部分に対しては光が届かず，その結果，壁面の全体を均一に照らすことができないものとなっている。
【００１０】
このような問題を解消する方法としては，光源であるランプやリフレクタを一部，天井板の底面（室内側の面）より低い位置に配置することも考えられるが，このような構成を採用した場合には，照明器具が室内側に大きく迫り出すために，室内側より天井を見上げた際に照明器具の存在が目立つものとなり，室内の景観が損なわれる。
【００１１】
そのため，室内側より観察した際に，見た目において既存のダウンライト等の照明器具と同程度に目立たないものでありながら，壁面の上端に対しても光を照射することができる構造を備えたウォールウォッシャー型の照明器具が要望される。
【００１２】
また，壁面全体に対する均一な光の照射を阻害する他の原因として，壁面に対して照射した光の輪郭が「スカラップ」と呼ばれる模様を形成することが挙げられる。
【００１３】
このスカラップの発生原因を，図１２を参照して説明すると，図１２（Ａ）に示すように，一般にダウンライト１００にはランプ１１２からの光が直接視界に入ることによる不快な眩しさを感じることがないよう，図１２（Ａ）中にθで示すようにランプ１１２からの光が照射されない範囲が所謂「カットオフアングル」として設定されている。
【００１４】
このようなダウンライト１００による光の照射範囲を立体的に表せば，図１２（Ｂ）に示すように円錐状の照射範囲となり，このダウンライト１００を壁面付近の天井に取り付けて壁面Ｗを照射した場合，壁面Ｗに形成される光の輪郭は，図１２（Ｂ）に示す円錐を面Ｌ１’で切断した際に得られる断面形状となり，例えば壁面Ｗの幅方向に複数のダウンライト１００を並べて配置して，壁面Ｗの幅方向全体に光を照射しようとした場合，壁面には，図１２（Ｃ）で示すように景観を損ねる鋸歯状の模様が形成される。
【００１５】
仮に，ダウンライト１００を壁面Ｗに向けて傾斜した状態で天井に取り付けたとしても，これにより壁面に形成される光の輪郭は，図１２（Ｂ）中，面Ｌ２’で円錐を切断した際に得られる断面形状に変化するのみであり，ダウンライトを傾斜して取り付けただけではスカラップの発生を防止する効果はない。
【００１６】
また，前掲の特許文献２，３として示したように，補助反射面や補助反射鏡を設けたダウンライトの構成にあっても，補助反射面や補助反射鏡が単に壁面側のカットオフアングルθを鋭角に変化させるものであれば，同様に壁面Ｗには放物線状の模様（スカラップ）が形成されることとなる。
【００１７】
仮に，特許文献２，３に示す構成においてスカラップの発生を阻止しようとすれば，補助反射面や補助反射鏡の反射面を，各部位毎に異なる曲率で形成する等，極めて複雑な形状とする必要があり，その設計，製造が難しい。
【００１８】
このように，従来のウォールウォッシャー型のダウンライトによっては，スカラップを生じさせることなくウォールウォッシャー照明を行うことができないことから，例えば，壁面上部における天井に凹溝を形成しておき，この凹溝内に長尺の蛍光灯を光源とした照明器具を埋め込み設置することによるウォールウォッシャー照明も行われている。
【００１９】
この方法では，前述したスカラップの発生を防止することはできるものの，天井に対する凹溝の形成という大がかりな工事が必要となり費用が嵩むと共に，ハロゲンランプ等を光源とするダウンライトに比較して，蛍光灯を光源とした上記照明手法では明るさが得にくいという欠点がある。
【００２０】
なお，壁面に照射された光は，中心から外側に向かうに従い明るさが変化することにより生じる年輪状の縞模様を形成し，このような縞模様によっても壁面全体を均一な明るさで照らし出すことができなくなる。
【００２１】
従って，壁面に照射された光が，中心側から外側に向かうに従い自然に移ろうように形成して，前述のような年輪状の縞模様の発生を防止することができれば，壁面に対するより均一な光の照射が可能となる。
【００２２】
そこで本発明は上記従来技術における欠点を解消するためになされたものであり，既知の天井埋込型のダウンライトと同様に，天井に埋め込んだ状態で取り付けることにより，既知のダウンライト等と同様に室内側からの景観を乱すことなく，違和感なく天井に取り付けることができるものでありながら，これに加えて壁面の上端部に対しても確実に光を照射することができ，しかも，壁面に対して照射された光が，スカラップ，好ましくはスカラップと共に年輪状の縞模様を形成することを防止して，壁面全体に均一に光を照射することができる，ウォールウォッシャー型照明器具を提供することを目的とする。
【課題を解決するための手段】
【００２３】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の特許請求の範囲の技術的範囲の解釈に制限的に用いられるものではない。
【００２４】
上記目的を達成するために，本発明のウォールウォッシャー型照明器具１は，カップ状のリフレクタ３０と，前記リフレクタ３０の凹面３１側に発光部１２ａを配置するランプ１２を備えた照明器具本体１０と，下端縁７３を天井板８０の底面８０ａ（室内側の面）と同一高さ又は前記底面８０ａより僅かに室内側に突出させた状態で天井板８０に取り付けられる取付治具７０を備え，前記取付治具７０の開口７４内に前記照明器具本体１０を取り付けることにより，天井に埋め込み状態で取り付けられる照明器具１において，
前記リフレクタ３０の前記凹面３１が，長軸Ｘの下端を壁面Ｗ側に向けて傾斜させた楕円を，前記長軸Ｘを中心として回転させて得られる回転楕円面の一部によって形成されていると共に，前記壁面Ｗ側に向かって開放する開口３２を有し，
前記開口３２が，前記天井板８０の底面８０ａに平行な平面であって前記楕円の２つの焦点Ｆ１，Ｆ２のうち前記長軸Ｘの下端側にある第１焦点Ｆ１部分で前記長軸Ｘと交わる平面Ｈで切断された下端開口縁３２ａと，前記２つの焦点Ｆ１，Ｆ２間（点Ｍ）で前記長軸Ｘと交わると共に前記平面Ｈと交叉する斜面Ｓで切断された傾斜開口縁３２ｂを有し，
前記リフレクタ３０を，前記下端開口縁３２ａが前記取付治具７０の下端縁７３と略同一高さとなるよう配置すると共に，
前記楕円の前記長軸Ｘの上端側にある第２焦点Ｆ２に前記ランプ１２の前記発光部１２ａを配置したことを特徴とする（請求項１）。
【００２５】
前記構成のウォールウォッシャー型照明器具１において，前記リフレクタ３０の前記凹面３１全面には，多数のディンプル３３，３４を形成することが好ましく（請求項２），この場合，前記傾斜開口縁３２ｂの上端部Ｐ３を通ると共に，前記楕円の長軸Ｘと直交する基準面Ｂを想定し，この基準面Ｂに対して上方側に位置する前記凹面３１に形成するディンプル３３に対して，下方側に位置する前記凹面３１に形成するディンプル３４を小径に形成することができる（請求項３）。
【００２６】
更に，前記ランプ１２の軸芯が前記楕円の長軸Ｘと一致するよう前記ランプ１２を傾斜させるものとすることが好ましい（請求項４）。
【００２７】
なお，前記リフレクタ３０の前記下端開口縁３２ａの底部を覆うと共に，前記下端開口縁３２ａ側から前記長軸Ｘ側に向かって突出する，上面が低反射率に形成された遮光壁５２を設け，
前記長軸Ｘと交叉すると共に，前記傾斜開口縁３２ｂの上端部Ｐ３と前記遮光壁の突出側端部とを結ぶ線Ｃが，天井板８０の底面８０ａに対して所定のカットオフアングルθ（実施例において５５°）で傾斜するよう，前記遮光壁５２及び前記傾斜開口縁３２ｂを形成することもできる（請求項５）。
【００２８】
この場合，略円筒状に形成された枠体５１を備えると共に，前記枠体５１の下端開口に前記リフレクタ３０の前記下端開口縁３２ａを載置する前記遮光壁５２を備え，且つ，前記枠体５１内に前記リフレクタ３０の前記傾斜開口縁３２ｂを係止する係止部５３を備えた保持具５０を前記照明器具本体１０に設け，該保持具５０を前記取付治具７０内に取り付け可能としても良い（請求項６）。
【発明の効果】
【００２９】
以上で説明した本発明の構成により，本発明のウォールウォッシャー型照明器具１によれば，以下の顕著な効果を得ることができた。
【００３０】
回転楕円面の一部によって形成され，壁面Ｗ側に向かって開放する開口を備えた凹面３１形状を有するリフレクタ３０の前記開口３２に，平面Ｈと斜面Ｓとによって切断して下端開口縁３２ａと傾斜開口縁３２ｂを形成したこと，このリフレクタ３０の下端開口縁３２ａが取付治具７０の下端縁７３と略同一高さとなるように配置（従って第１焦点Ｆ１も略同一高さに配置）したこと，及び，ランプ１２の発光部１２ａを第２焦点Ｆ２に配置したことにより，本発明の照明器具１では，図２中に矢印で示すように，リフレクタ３０の凹面３１のうち下端開口縁３２ａ部分で反射された反射光を，天井板８０と平行に，壁面Ｗの上端位置に向けて照射することが可能となり，天井埋込型の照明器具でありながら，壁面Ｗと天井板８０との境界部分に迄，確実に光を照射することができる照明機器１を提供することができた。
【００３１】
また，前述したリフレクタ３０の構造により，壁面Ｗに対して照射された光はスカラップを生じず，その結果，壁面Ｗの全体に均一に光を照射することができるウォールウォッシャー型照明器具を提供することができた。
【００３２】
しかも，リフレクタ３０の凹面３１に多数のディンプル３３，３４を形成した構成，特に，基準面Ｂよりも下方に位置する凹面３１に形成するディンプル３４を，基準面Ｂよりも上方に位置する凹面３１に形成するディンプル３３に比較して小径に形成した構成にあっては，照射光の中心から外側に向かうに従い生じる明るさの変化によって生じる年輪状の縞模様の発生を無くすことができ，その結果，壁面Ｗに対する照明を，より均一に行うことができた。
【００３３】
更に，ランプ１２の軸芯を楕円の長軸Ｘと一致するよう傾斜させることによりランプ１２の配置スペースを減少させてリフレクタ３０のサイズを可及的に小さくすることができた。
【００３４】
リフレクタ３０の下端開口縁３２ａの下部を覆う遮光壁５２を設けた構成にあっては，この遮光壁５２の突出長さと，傾斜開口縁３２ｂの上端部Ｐ３の配置，従って傾斜開口縁３２ｂの傾きを調整することで，照射対象とする壁面Ｗとは反対側に対する光の照射範囲（カットオフアングルθ）を所望の角度に設定することができた。
【００３５】
略円筒状の枠体５１に，リフレクタ３０の下端開口縁３２ａを載置する前述の遮光壁５２と，傾斜開口縁３２ｂを係止する係止部５３を設けることにより形成した保持具５０を前記照明器具本体１０に設けた構成にあっては，前記保持具５０の枠体５１内にリフレクタ３０を挿入するのみで，リフレクタ３０を前述した所望の姿勢に保持することができ，面倒な調整作業等が不要となった。
【図面の簡単な説明】
【００３６】
【図１】天井に取り付けた状態の本発明の照明器具の全体断面図。
【図２】リフレクタ，保持具，及び取付治具部分の拡大断面図。
【図３】リフレクタの断面図。
【図４】リフレクタの斜視図。
【図５】保持具の（Ａ）は平面図，（Ｂ）は左側面図，（Ｃ）は正面図，（Ｄ）は右側面図，（Ｅ）は背面図。
【図６】保持具の（Ａ）は斜視図，（Ｂ）は図５（Ａ）のVI-VI線断面図。
【図７】本発明の照明器具においてスカラップが解消する原理の説明図であり，（Ａ）は下端開口縁の形成有無による照射範囲の変化，（Ｂ）は下端開口縁を備えたリフレクタによる反射光の照射範囲を立体的に表した説明図。
【図８】本発明の別の実施形態を示す照明器具の全体断面図。
【図９】従来のウォールウォッシャー型ダウンライトの説明図（壁面に向けて傾斜させた例：特許文献１の図１に対応）。
【図１０】従来のウォールウォッシャー型ダウンライトの説明図（補助反射面を設けた例；特許文献２の図１に対応）。
【図１１】従来のウォールウォッシャー型ダウンライトの説明図（補助反射鏡を設けた例：特許文献３の図１に対応）。
【図１２】スカラップの発生原理の説明図であり，（Ａ）は一般的なダウンライトによる照射範囲の説明図，（Ｂ）は（Ａ）の照射範囲を立体的に表した説明図，（Ｃ）は壁面に投影された光の輪郭（スカラップ）の模式図。
【発明を実施するための形態】
【００３７】
次に，添付図面を参照しながら本発明のウォールウォッシャー型照明器具１について説明する。
【００３８】
図１において，符号１は本発明のウォールウォッシャー型照明器具であり，この照明器具１は，光源であるランプ１２と，このランプ１２を取り付けるソケット１３を収容したカバー１１の下端に，リフレクタ３０を保持した保持具５０を取り付けることにより形成された照明器具本体１０と，天井板８０に形成した開口８１内に取り付けられるリング状の取付治具７０を備えており，前記取付治具７０に形成された開口７４内に照明器具本体１０を室内側より挿入して，取付治具７０内に照明器具本体１０の保持具５０を係止することで，天井に対して埋め込まれた状態で取り付け可能に構成されている。
【００３９】
このうち，前述した照明器具本体１０は，前述したカバー１１の上端側に光源であるランプ１２が取り付けられるソケット１３を収容し，前記ソケット１３に対してランプ１２を取り付けることにより，カバー１１内の所定の位置に前記ランプ１２が配置されるように構成されている。
【００４０】
このカバー１１の下端部には，リフレクタ３０を保持する保持具５０の上端を連結することができるように構成されており，前記保持具５０内にリフレクタ３０を保持した状態で，カバー１１の下端に保持具５０を連結することにより，リフレクタ３０がカバー１１と保持具５０との連結によって形成された空間内に配置，固定されると共に，リフレクタ３０の凹面３１側の所定の位置に，ランプ１２の発光部１２ａを配置することができるように構成されている。
【００４１】
前述のカバー１１の下端縁は，図１に示すように内部に収容されるランプ１２の軸線に対して傾斜して形成されており，従って，円筒状に形成された枠体５１を有する後述の保持具５０の上端にこのカバー１１の下端縁を連結すると，カバー１１及びこのカバー１１内に収容されたランプ１２が，図１に示すように保持具５０，及びこの保持具５０を，取付治具７０を介して取り付けている天井板８０に対して，所定の角度傾斜した状態（図示の例ではランプ１２の軸芯が５５°傾斜した状態）に取り付けることができるように構成されている。
【００４２】
照明器具本体１０に設けられた前述のリフレクタ３０は，ランプ１２によって発生した光を所定の方向に反射するものであり，反射面として形成された凹面３１を備えていると共に，このリフレクタ３０の凹面３１側にランプ１２の発光部１２ａが配置されている。
【００４３】
このリフレクタ３０の凹面３１は，図１〜図３に示すように，楕円の長軸Ｘを回転中心として前記楕円を回転させて得た回転楕円面の一部によって形成されており，この回転楕円面を，光の照射対象とする壁面（垂直壁）Ｗ側に前記長軸Ｘの下端側が向くように傾斜させた姿勢で取り付けられると共に，壁面Ｗ側に向かって開放する開口３２が形成されている。
【００４４】
なお，一般に，楕円の「長軸」とは，楕円の内部において，楕円の２焦点を通る線を指すが，説明の便宜上，図中に表している長軸Ｘは，上記意味における長軸の一部，乃至はこれを延長した線として表している。
【００４５】
この楕円の長軸Ｘは，図示の例では天井板８０に対して５５°の傾きとなるよう傾斜させているが，この長軸Ｘの傾斜角は図示の例に限定されず，壁面側に照射する光の配分，照明器具の取付位置（壁面からの距離）等に対応して適宜変更可能であり，一例として，図８に示す例では，この長軸Ｘの傾斜角を６５°に形成している。
【００４６】
このように，長軸Ｘを傾斜させた回転楕円面の一部によって形成された凹面３１を有するリフレクタ３０の開口３２は，図１〜図４に示すように下端開口縁３２ａと傾斜開口縁３２ｂの２つの開口縁によってその縁部が形成されている。
【００４７】
このうちの下端開口縁３２ａは，図１及び図２に示すように天井板８０の底面８０ａに対し平行な平面であって，前述の楕円が有する２つの焦点Ｆ１，Ｆ２のうち，長軸Ｘの下端側にある第１焦点Ｆ１部分において前記長軸Ｘと交叉する仮想の平面Ｈによって前記回転楕円面を切断することにより得られる縁部分である。
【００４８】
また，前述の傾斜開口縁３２ｂは，図１〜図４に示すように，第１，第２焦点Ｆ１，Ｆ２間の所定の点Ｍで前記楕円の長軸Ｘと交叉すると共に前記平面Ｈと交叉する仮想の斜面Ｓによって前記回転楕円面を切断することにより得られる縁部分である。
【００４９】
この下端開口縁３２ａと，傾斜開口縁３２ｂの範囲を，図４を参照して説明すると，点Ｐ１から点Ｐ２を通り，点Ｐ１’に至る部分が前述の下端開口縁３２ａであり，点Ｐ１から点Ｐ３を通り，点Ｐ１’に至る部分が前述の傾斜開口縁３２ｂである。
【００５０】
このリフレクタ３０の凹面３１には，ディンプル３３，３４を形成することが好ましく，このディンプル３３，３４の形成によって，リフレクタ３０によって反射された光が壁面に投影された際，光の中心側から外側に至る明るさの変化が自然に移り変わって，投影面に年輪状の縞模様が形成されることが防止されている。
【００５１】
このディンプル３３，３４の形成は，リフレクタ３０の凹面３１全体に亘って同形状のディンプルを形成するものとしても良いが，本実施形態にあっては，図３に示すように，傾斜開口縁３２ｂの上端部Ｐ３を通り，楕円の長軸Ｘに対して直交する基準面Ｂを想定し，この基準面Ｂよりも上方に位置する凹面３１に形成するディンプル３３に対し，前記基準面Ｂよりも下方に位置する凹面３１に形成するディンプル３４を小径のものとして形成している。
【００５２】
なお，図３では，凹面３１の一部にのみにディンプル３３，３４を表示し，その他の部分におけるディンプル３３，３４の表示については省略している。
【００５３】
このディンプル３３，３４のサイズは，前述した基準面Ｂに対し上方側の凹面３１に形成するディンプル３３を一例としてＲ８mm，φ３mmの凸ポンチを使用して形成し，前記基準面Ｂに対し下方に位置する凹面３１に形成するディンプル３４を一例としてＲ８mm，φ１．５mmの凸ポンチを使用して形成している。
【００５４】
このディンプル３３，３４は，リフレクタの凹面３１全体に隙間無く形成することが好ましく，例えば図３に示すように各ディンプルを六角形に形成して蜂の巣状に配置することにより，凹面３１に隙間無くディンプルを形成するものとしても良い。
【００５５】
もっとも，凹面３１に形成するディンプル３３，３４は，図示のように必ずしも規則的に形成したものである必要はなく，ランダムに形成したものであっても良く，本実施形態にあっては，前記基準面Ｂに対し下方に位置する凹面３１に形成するディンプル３４をランダムに形成している。
【００５６】
なお，図１〜３中の符号３５は，リフレクタ３０に設けたランプ挿入口であり，後述する保持具５０にリフレクタ３０を保持した状態で，保持具５０の上端にカバー１１の下端部を連結すると，前述のカバー１１に設けられたソケット１３に取り付けられたランプ１２がこのランプ挿入口３５を介してリフレクタ３０の凹面３１側に挿入され，発光部１２ａが前記楕円の第２焦点Ｆ２に配置されるようになっている。
【００５７】
以上のように構成されたリフレクタ３０は，下端開口縁３２ａが，天井板８０に取り付けられる後述の取付治具７０の下端縁７３と略同一高さとなるように配置される。
【００５８】
このようなリフレクタ３０の配置は，例えば前述したカバー１１内に，前述した配置となるようにリフレクタ３０を固定することにより実現するものとしても良いが，本実施形態にあっては，前述したようにカバー１１の下端に取り付ける保持具５０内にリフレクタ３０を収容した状態とし，この状態で保持具５０の上端に前記カバー１１の下端を連結すると共に，この保持具５０を，後述する取付治具７０内に係止することで，前述したリフレクタ３０の配置を実現することができるようにしている。
【００５９】
この保持具５０は，図５及び図６に示すように，略円筒状に形成された枠体５１の下端に，リフレクタ３０の下端開口縁３２ａを載置する遮光壁５２を備えると共に，前記枠体５１内に，リフレクタ３０に設けた傾斜開口縁３２ｂと当接する傾斜面を備えた係止部５３を設け〔図５（Ａ），図６（Ａ），（Ｂ）参照〕，リフレクタ３０の下端開口縁３２ａが前記遮光壁５２上に載置され，且つ，前記係止部５３の傾斜面に傾斜開口縁３２ｂが当接するように保持具５０の前記枠体５１内にリフレクタ３０を挿入すると，リフレクタ３０を前述した配置と成すに必要な状態に位置決めすることができるように構成されている。
【００６０】
この保持具５０に設けられた前述の遮光壁５２は，リフレクタ３０の下端開口縁３２ａを載置した際に，前記下端開口縁３２ａの下方においてリフレクタ３０の開口３２を部分的に塞ぐように構成されており，前述したリフレクタ３０の保持や位置決めをする機能の他，ランプ１２からの直接光や，リフレクタ３０による反射光の一部を遮光して，壁面Ｗとは反対側に照射される光の照射角（カットオフアングルθ）を所定の角度に設定する機能を有している（図１，２参照）。
【００６１】
このように，遮光壁５２による遮光を実現するために，前述の遮光壁５２の上面（リフレクタ３０の下端開口縁３２ａを載置する面）には，例えばつや消しの黒色塗料を塗布する等して，この面の反射率を低下させている。
【００６２】
本実施形態にあっては，このつや消しの黒色塗料を塗布する他，遮光壁５２の上面に図２に示すような鋸歯状の凹凸を形成し，この面に入射した光が黒色塗料によって完全には吸収されずに一部反射した場合であっても，この光を乱反射させて消散させることかできるようにしている。
【００６３】
遮光壁５２は，室内側に必要な照明光を照射できる範囲で保持具５０の枠体５１の下端開口を塞いでおり，図示の実施形態にあっては，リフレクタ３０の下端開口縁３２ａの中間点Ｐ２の内側に位置する部分〔図５（Ａ）中のＰ４の位置〕において第１焦点Ｆ１側に対する突出長を最大とし，両端に近付くに従って徐々に突出長さを短くした，平面視において三日月状に形成されている〔図５（Ａ），（Ｅ）参照〕。
【００６４】
そして，図１及び図２に示すように，リフレクタ３０の傾斜開口縁３２ｂの上端部Ｐ３を通って楕円の長軸Ｘと交叉し，遮光壁の縁部上の一点Ｐ４に入る線Ｃの傾きによって決まる，壁面Ｗとは反対側に照射される光のカットオフアングルθが所定の角度となるよう，前記遮光壁５２の突出長さ及び／又は前記傾斜開口縁３２ｂの傾きが決定されている。
【００６５】
ここで，傾斜開口縁３２ｂの傾きは，カットオフアングルθの設定によって変更し得るものであるから，傾斜開口縁３２ｂを例えば天井体８０の底面８０ａに対し垂直方向に形成しても良い。
【００６６】
図１に示す実施形態にあっては，前述したカットオフアングルθが５５°となるように前述の遮光壁５２の突出長さ及びリフレクタ３０の傾斜開口縁３２ｂの傾斜角を設定しているが，カットオフアングルθは，照明器具１の用途，設置場所等に応じて，各種の角度に設定することができ，例えば，前述のリフレクタ３０として共通する構造のものを使用しつつ，遮光壁５２の突出長さが異なる保持具５０を複数準備しておき，この保持具５０の交換によりカットオフアングルθの設定を変更可能に構成するものとしても良い。
【００６７】
なお，図１及び図２に示す例では，この遮光壁５２を第１焦点側Ｆ１に向かって，天井板８０の底面８０ａに対して略平行を成すように突出させたものとしているが，この遮光壁５２は，例えば図８に示すように，枠体５１の下端縁より斜め下向きに突出するように設けても良く，カットオフアングルθを所定の角度に設定し得るものであれば，その構造は限定されない。
【００６８】
もっとも，図８に示すように遮光壁５２を下向きに傾斜させた構造とした場合には，室内側より設置された状態の照明器具１を観察した際に，この遮光壁５２の存在によって照明器具１の存在が目立ち，室内の景観を乱すおそれがあることから，好ましくは図１，図２に示したように，遮光壁５２は，枠体５１下端縁より大幅に下方に突出しない状態に設けることが好ましい。
【００６９】
リフレクタ３０の傾斜開口縁３２ｂに当接してリフレクタ３０の位置決めを可能とする前述の係止部５３として，図示の実施形態にあっては，前記リフレクタ３０の傾斜開口縁３２ｂの傾斜角に対応した角度で形成されたスロープ状の傾斜面を備えた係止部５３を設けている。
【００７０】
この係止部５３は，その上端において，図５（Ａ）及び図６（Ａ）に示すように，枠体５１の内壁より張り出した切欠円弧状の舌片５４に連結されており，この舌片５４によって，リフレクタ３０による反射光の一部が室内側に照射されないようにされている（図２参照）。
【００７１】
なお，この舌片５４の下方には，背面視〔図５（Ｅ）参照〕において三日月状を成すと共に，中央側を上方に向かって膨出するように湾曲させた反射板５５が設けられており，この反射板５５の底面側を反射面，例えば鏡面に形成することで，例えば下端開口縁３２ａ付近のリフレクタ３０の凹面３１で反射された光のうち，拡散によって天井板８０に対して平行な照射方向から外れた拡散光等を室内側に反射させることで，照明器具１の直下方向における明るさを増加させている。
【００７２】
なお，図５及び図６中，符号５６は，冷却風の導入路であり，この冷却風の導入路５６を介してリフレクタ３０やランプ１２を冷却する冷却風を導入することができるように構成している。
【００７３】
以上のように構成された保持具５０は，内部にリフレクタ３０を収容すると共に，上端にカバー１１の下端部を連結した状態で，リング状の取付治具７０を介して天井板８０に形成された開口８１内に取り付けられる。
【００７４】
この取付治具７０は，略円筒状に形成された円筒部７１と，この円筒部７１の下端開口縁より外周方向に突出したフランジ部７２を備えており，この取付治具７０の円筒部７１を天井板８０に形成した開口８１内に，室内側よりフランジ部７２が天井板８０の底面８０ａに当たる迄挿入すると，板バネ等によって形成された支持脚７５（図８参照）が天井板８０の上面側において開口８１の周縁に係止され，この支持脚７５により，又はこの支持脚７５に加えて前記取付治具７０を天井板８０にネジ止め等することにより，天井板８０に形成された開口８１内に固定されている。
【００７５】
このように，図示の例では取付治具７０の下端縁７３は，フランジ部７２の肉厚分，天井板８０の底面８０ａに対し僅かに低い位置に配置されているものとなっている。
【００７６】
もっとも，この取付治具７０としては，前述したフランジ部７２を備えていない構成のものを使用して，取付治具７０の下端縁７３が，天井板８０の底面８０ａと厳密に同一の高さとなるように取り付けるものとしても良い。
【００７７】
この取付治具７０の円筒部７１は，前述のカバー１１及び保持具５０を挿入可能な内径に形成されていると共に，室内側よりカバー１１側を上向きにして照明器具本体１０を挿入し，この照明器具本体１０の保持具５０部分を所定の位置迄挿入すると，円筒部７１内に保持具５０の外周を係止することができるように構成されている。
【００７８】
図１及び図２に示す実施形態にあっては，この取付治具７０の円筒部７１内周に設けた板バネ７６の上端部分を，保持具５０の枠体５１外周に周方向に連続して形成した係止段部５７に係止することで，保持具５０を取付治具７０内の所定の位置に係止することができるように構成していると共に，前記位置で保持具５０を取付治具７０内に係止すると，保持具５０内に収容されたリフレクタ３０の前述した配置が実現されるように構成されている。
【００７９】
以上のように構成された照明器具本体１０は，前述したように天井板８０に形成された開口８１内に嵌合・固定された取付治具７０内に挿入されて，天井に埋め込み状態で取り付けられる。
【００８０】
天井に対する取り付けは，ウォールウォッシャー効果を狙って照明対象とする壁面Ｗの高さ等に応じて所定距離離れた位置で天井に取り付けると共に，照明器具本体１０の傾斜方向下方に，照射対象とする壁面Ｗが配置されるように取り付ける。
【００８１】
一例として，図１を参照して説明した照明器具１において，高さ３０００mmの壁面に対しその全高に亘り光を照射する場合には，壁面からおよそ１２００mm離れた位置で天井に取り付ける。
【００８２】
このようにして取り付けられた本発明の照明器具１において，前述したリフレクタ３０の凹面３１は前述したように回転楕円面の一部によって形成されていることから，楕円の２つの焦点Ｆ１，Ｆ２のいずれか一方より発し，凹面３１で反射された光は，他方の焦点に対して入射されることとなり，前述したようにランプ１２の発光部１２ａを第２焦点Ｆ２に配置した本発明の照明器具１にあっては，このランプ１２より発せられ，凹面３１によって反射された光は，図２中に矢印で示すように，第１焦点Ｆ１に入射することとなる。
【００８３】
そして，本発明の照明器具１に設けられたリフレクタ３０は，下端開口縁３２ａが取付治具７０の下端縁７３と略同一高さに配置されていることから，この下端開口縁３２ａと同一平面Ｈ上にある第１焦点Ｆ１もまた，取付治具７０の下端縁７３と略同一高さに配置されている。
【００８４】
そして，ランプ１２の発光部１２ａを，第２焦点Ｆ２に配置していることから，ランプ１２より発し，リフレクタ３０の凹面３１によって反射された光のうち，下端開口縁３２ａ付近に入射した光は，第１焦点Ｆ１を通り，天井板８０に対して平行に進み，壁面Ｗに照射される。
【００８５】
その結果，本発明の照明器具１によれば，天井との境界付近における壁面Ｗの上端に迄，光を照射することができるものとなっている（図２参照）。
【００８６】
また，本発明の照明器具１に設けたリフレクタ３０にあっては，前述の下端開口縁３２ａを設けた構成により，壁面Ｗに対して照射された光がスカラップを形成することをも防止できるものとなっている。
【００８７】
ここで，凹面３１を回転楕円面の一部によって形成したリフレクタ３０により反射される光の照射範囲を考えると，このリフレクタ３０が本発明の下端開口縁３２ａに対応する部分を備えていない回転対称の形状を有する場合には，このリフレクタによる照射範囲は，図７（Ａ）中に実線で示すように，第１焦点Ｆ１を頂点とした二等辺三角形の範囲となる。
【００８８】
しかし，本願の照明器具１で採用するリフレクタ３０では，前述したように，第１焦点Ｆ１で長軸Ｘと交叉する，平面Ｈによって切断することにより形成された下端開口縁３２ａを備えているために，このような下端開口縁３２ａを備えたリフレクタ３０による光の照射範囲は，図７（Ａ）中に破線で示した状態に変化する。
【００８９】
このように，下端開口縁３２ａを備えたリフレクタ３０によって反射された光の照射範囲を立体的に表せば，図７（Ｂ）に示すものとなり，この照射範囲は，円錐を平面Ｈで切り欠いた形状となる。
【００９０】
そして，本発明の照明器具１にあっては，図７（Ｂ）に示す平面Ｈは，天井板８０の底面８０ａに対して平行なものであるから，壁面Ｗに対して照射される光は，図７（Ｂ）に示す切欠円錐を，平面Ｈに対して直交する面で切断した断面形状に対応したものとなり，その結果，壁面Ｗに対してスカラップが形成されることを完全に防止することができるものとなっている。
【００９１】
しかも，リフレクタ３０の凹面３１にディンプル３３，３４を形成した構成にあっては，照射光の中心から外側に向かう明るさの移り変わりが自然なものとなり，その結果，壁面Ｗに照射された光が年輪状の縞模様を形成することをも防止することができるものとなっている。
【００９２】
特に，図３を参照して説明したように，基準面Ｂに対して上方側に位置する凹面３１に形成するディンプル３３に対し，下方側に位置する凹面３１に形成するディンプル３４の大きさをより小さなものとして形成した構成にあっては，前述した明るさの移ろいをより一層自然なものとすることができ，その結果，年輪状の縞模様が発生することを略完全に防止することができた。
【００９３】
このように，本発明の照明器具１によれば，回転楕円面の一部によって凹面３１が形成された単一のリフレクタ３０の切断位置を工夫すること，更には凹面３１にディンプル３３，３４を形成することにより，従来技術として説明したように，リフレクタに補助反射面を設けたり，又は，リフレクタ内に補助反射板を設ける構成に比較してリフレクタの構造を単純なものとすることができるだけでなく，従来の照明器具では困難であった，壁面Ｗの上端に対する光の照射，スカラップの発生防止，年輪状の縞模様の発生防止のいずれをも達成することができるものとなっている。
【００９４】
しかも，このように形成された本発明の照明器具１にあっては，室内側より天井を見上げた際，照明器具の存在が目立つことなく，設置状態において既知のダウンライトと同様の外観を呈するものとなっており，室内の景観を乱すこともないものとなっている。
【符号の説明】
【００９５】
１  （ウォールウォッシャー型）照明器具
１０  照明器具本体
１１  カバー
１２  ランプ
１２ａ  発光部
１３  ソケット
３０  リフレクタ
３１  凹面
３２  開口
３２ａ  下端開口縁
３２ｂ  傾斜開口縁
３３，３４  ディンプル
３５  ランプ挿入口
５０  保持具
５１  枠体
５２  遮光壁
５３  係止部
５４  舌片
５５  反射板
５６  冷却風の導入路
５７  係止段部
７０  取付治具
７１  円筒部
７２  フランジ部
７３  下端縁
７４  開口
７５  支持脚
７６  板バネ
８０  天井板
８０ａ  底面（天井板の室内側の面）
８１  開口
Ｗ  壁面
Ｈ  平面
Ｓ  斜面
Ｂ  基準面
Ｃ  カットオフアングルを示す線
θ  カットオフアングル
１００  ダウンライト（照明器具）
１１２  ランプ
１３０  リフレクタ
１３１  補助反射面
１３１’  補助反射板
【図１】
2011040299.tif 000003
【図２】
2011040299.tif 000004
【図３】
2011040299.tif 000005
【図４】
2011040299.tif 000006
【図５】
2011040299.tif 000007
【図６】
2011040299.tif 000008
【図７】
2011040299.tif 000009
【図８】
2011040299.tif 000010
【図９】
2011040299.tif 000011
【図１０】
2011040299.tif 000012
【図１１】
2011040299.tif 000013
【図１２】
2011040299.tif 000014